(57)【要約】      （修正有）【課題】手すりの曲げ部分において、施工時に被覆材の切離し端部のスリットが波打ったり、開きが大きくなることを防止できる手すりの構造を提供する。【解決手段】取付けブラケット３と、取付けブラケットの先端部に取付けられる長尺の芯材４と、芯材を全長にわたって覆う被覆材５と、を備えて手すり２を構成する。また、被覆材の切離し端部５ａ等は、全長にわたって該手すりの中心方向に向かい対向するように突出する突出部を形成すると共に、該突出部に隣接して空隙部Ａを形成することで、加工による変形に対する追従性を向上させる。【選択図】図２
0003167262.tif 000002
【実用新案登録請求の範囲】
【請求項１】
基端部が固定基部に取付けられ先端部が該固定基部から離間した状態で配置された取付けブラケットと、
該取付けブラケットの先端部に取付けられる長尺の芯材と、
筒状とされると共にその周方向所定位置において全長にわたり切離され、その対向する一対の切離し端部が前記取付けブラケット先端部の厚み方向両面に当接するようにしつつ該芯材を全長にわたって覆う被覆材と、を備えている手すりにおいて、
前記被覆材の前記切離し端部は、全長にわたって該手すりの中心方向に向かい対向するように突出する突出部が形成されると共に、該突出部に隣接して空隙部が形成されていることを特徴とする、手すり。
【考案の詳細な説明】
【技術分野】
【０００１】
本考案は、手すりに関するものである。
【背景技術】
【０００２】
従来の手すりとしては、特許文献１に示すように、下方に向かって長手方向に沿って開口する手摺本体開口部を備えた長尺部材よりなる手摺本体と、前記手摺本体開口部にはめ込むことによって手摺本体の外表面と連続する被係合部材とを備え、その被係合部材は、前記手摺本体よりも変形度が大きい弾性部材により形成した手摺がある。
【０００３】
特許文献１のような手摺は、手摺本体開口部が広く形成されており、開口したままでは手摺利用者が手摺を把持する際、指先が前記開口部に入り込んで引っ掛かることがあり、危険である。特許文献１は、手摺本体開口部に被係合部材をはめ込んで埋めることにより、このような危険を回避したものである。
【０００４】
しかしながら、このような手摺では、壁面に一定間隔で複数個設けられ、前記の手摺本体開口部にブラケットの先端部を挿入・固定することになる。手摺施工時に、被係合部材をブラケットの取付け間隔よりもやや短く切断して、手摺本体開口部に嵌合していく必要があり、大変手間のかかるものであった。また、経時により被係合部材が劣化して外れ、垂れ下がってくるなどの問題も有している。
【０００５】
このような問題について解決すべく、出願人は特許文献２に係る発明をなした。すなわち、基端部が固定基部に取付けられて先端部が該固定基部から離間した状態で配置される取付けブラケットと、該取付けブラケットの先端部に取付けられる長尺の芯材と、筒状とされると共にその周方向所定位置において全長にわたって切離された状態とされ、その対向する一対の切離し端部が前記芯材に係止された状態で該芯材をその全長にわたって覆う被覆材とを備えている手すりの前記各切離し端部に、該各切離し端部から突出されてその先端部が前記取付けブラケット先端部の厚み方向面に当接する突片部が一体的にそれぞれ形成され、前記各突片部の肉厚が、前記各切離し端部の肉厚よりも薄くされており、被覆材の一対の切離し端部間に形成される隙間が極力小さくなるようにしたものである。
【先行技術文献】
【特許文献】
【０００６】
【特許文献１】特開平１０−０１８５３７号公報
【特許文献２】特開２００８−２９７７０７号公報
【考案の概要】
【考案が解決しようとする課題】
【０００７】
図１に示すように、被覆材５’の切離し端部５ａ’，５ｂ’から突出して一体的に形成される突片部２５ａ’，２５ｂ’の肉厚が、切離し端部５ａ’，５ｂ’よりも薄くなるように形成されているために、突片部２５ａ’，２５ｂは比較的変形が起きやすい。特に階段の折返しや曲がり角など、手すり本体６’に曲がり部分が必要な場合においては、芯材４’に対し被覆材５’を嵌合、被覆する際に、被覆材５’を引張るようにして行わないと、突片部２５ａ’，２５ｂが波打ったり、開きが大きくなる可能性があり、施工に手間が掛かるという問題があった。本考案が解決しようとする課題は、これらの問題の解決にある。
【課題を解決するための手段】
【０００８】
前記課題を解決すべく、本考案にあっては、
基端部が固定基部に取付けられ先端部が該固定基部から離間した状態で配置された取付けブラケットと、
該取付けブラケットの先端部に取付けられる長尺の芯材と、
筒状とされると共にその周方向所定位置において全長にわたり切離され、その対向する一対の切離し端部が前記取付けブラケット先端部の厚み方向両面に当接するようにしつつ該芯材を全長にわたって覆う被覆材と、を備えている手すりにおいて、
前記被覆材の前記切離し端部は、全長にわたって該手すりの中心方向に向かい対向するように突出する突出部が形成されると共に、該突出部に隣接して空隙部が形成されている構成としている。
【考案の効果】
【０００９】
本考案によれば、被覆材の切離し端部に、突出部と、突出部に隣接する空隙部が形成されていることによって、空隙部の周囲が変形して芯材の曲げ形状に確実に追従し、良好な嵌合状態を保持することができる。更に、施工性の向上により施工時間の短縮を可能とし、施工費用の低減を図ることができる。
【図面の簡単な説明】
【００１０】
【図１】図１は、従来の手すりの曲がり部分を部分的に示す斜視図である。
【図２】図２は、本考案による手すりが壁面に取付けられた状態を部分的に示す斜視図である。
【図３】図３は、本考案による手すりを示す縦断面図である。
【図４】図４は、本考案による手すりの組付け手順を説明する縦断面図である。
【図５】図５は、本考案による手すりの被覆材を示す縦断面図である。
【考案を実施するための形態】
【００１１】
図２ないし図５は、本考案による手すりが壁面に取付けられた状態を部分的に示す斜視図であって、１は固定基部としての建築物の壁面であり、この壁面１に手すり２が取付けられている。手すり２は、複数の取付けブラケット３と、芯材４と、被覆材５とを備え、そのうち、芯材４と被覆材５とが手すり本体６を構成している。
【００１２】
前記取付けブラケット３は、図２ないし図４に示すように、基端部７と、基端部７から一体的に伸びる脚部８とを有しており、脚部８の先端部が取付けブラケット３の先端部３ａとなっている。基端部７は、壁面１に対する取付け部を構成しており、その基端部７は、壁面１に対して着座した状態をもって、取付けアンカー９とナット１０とにより固定される。脚部８は、基端部７が壁面１に取付けられることに伴い、湾曲しつつ上方に立上がることになっており、その脚部８は、途中から、壁面１から一定距離離間しつつ壁面１に沿うことになっている。
【００１３】
この基端部７および脚部８は、押出成形を可能とするために帯板状を維持すべく、手すりの長手方向において一定の幅をもって連続的に形成されており、このとき、脚部８の厚みは、その先端側が、それ以外の部分に比して薄くされている。具体的には、脚部８の厚みに関しては、基端部７から先端側に向けて次第に薄くなっており（図３及び図４参照）、その最も薄くなる部分において、厚みが５mm未満、好ましくは４mm前後となるように設定されている。また、取付けブラケット３の脚部８には、上記先端側の部分よりも先端側において、一定厚みの連結部３１が設けられている。この連結部３１は、後述する芯材４の挿入溝１５の幅と略同じとされている。
【００１４】
前記芯材４は、図２ないし図５に示すように、前記取付けブラケット３の先端部３ａに取付けられている。この芯材４は、十分剛性を有する材質、例えば金属、特にアルミニウム合金等の軽金属を押出成形することにより長尺な型材として形成されており、具体的には、上壁部１１と、対向する一対の側壁部１２ａ，１２ｂと、下壁部１３とが備えられている。
【００１５】
これらは、内部において、中空部１４を区画しており、そのうち下壁部１３には、中空部１４を外部に連通させるための挿入溝１５が芯材４の長手方向に延びるように形成されている。上壁部１１の内面には、挿入溝１５の幅と略同一にされた保持溝１６が形成されており、その保持溝１６は、挿入溝１５に対向しつつその挿入溝１５の延び方向に延ばされている。この挿入溝１５の幅および保持溝１６の幅は、前記取付けブラケット３における連結部３１の厚みにほぼ等しく形成されており、取付けブラケット３における連結部３１が、挿入溝１５を介して保持溝１６に嵌合できるようになっている。
【００１６】
下壁部１３は、芯材４の内方側（上方側）に入り込んだ状態で位置されており、これに伴い、一対の側壁部１２ａ，１２ｂの一部（下側部分）は、下壁部１３よりやや突出して、係止部１７ａ，１７ｂを形成している。この芯材４の外面には、複数の円弧面１８が形成されている。この各円弧面１８は、略同一曲率半径に設定されており、それに基づき、各円弧面１８は、被覆材５に対する案内面、支持面として機能するようになっている。
【００１７】
このような芯材４内には、連結部３１を含む取付けブラケット３（複数の取付けブラケット３）の先端部（連結部３１）が挿入溝１５を介して入り込んでおり、その取付けブラケット３の先頭部分（取付けブラケット３の先端部３ａ部分）は、上壁部１１の保持溝１６に嵌合されている。
【００１８】
この取付けブラケット３の連結部３１と芯材４には、取付けねじ１９が横方向からねじ込まれており、この取付けねじ１９のねじ込みにより、取付けブラケット３の先端部３ａと芯材４とは一体化されている。取付けねじ１９としては、タッピングビスが好適である。
【００１９】
前記被覆材５は、図２ないし図５に示すように、取付けブラケット３に取付けられた前記芯材４を被覆している。被覆材５は、熱可塑性合成樹脂材料（例えば塩化ビニル）を用いて略円筒形状に形成されており、この被覆材５には、その周方向所定位置において、全長にわたって切離された隙間としての切離しスリット２０が形成され、その切離しスリット２０は、基本的に、一対の切離し端部５ａ，５ｂにより区画されている。この被覆材５は、本実施形態においては、複層押出成形等の成型方法を用いて、基層部２１および外層部２２が一体形成されている。
【００２０】
上記基層部２１は、図２ないし図５に示すように、被覆材５の略全体形状（略円筒形状）を形成しており、その基層部２１には、各切離し端部５ａ（５ｂ）に相当する部分２１ａ（２１ｂ）において、切離しスリット２０を実質的に区画する突片部２５ａ（２５ｂ）と、芯材４の係止部１７ａ，１７ｂに係止させるための折曲部２４ａ（２４ｂ）とが突出するようにして一体的に形成されている。
【００２１】
突片部２５ａ（２５ｂ）は、被覆材５の外面と滑らかに連続され、手すり２の中心方向（切離しスリット２０の中心方向）に向かい対向するように、断面視半円形状に突出する。また、一対の突片部２５ａ，２５ｂ間の切離しスリット２０の幅に関しては、本実施形態においては、その両先端が取付けブラケット３の厚み方向面に対して、連結部３１よりも延び方向内方側部分２６において当接する長さに設定されている。具体的には、指が入り込まない５mm未満（好ましくは４mm前後）に設定されている。
【００２２】
また、突片部２５ａ（２５ｂ）から折曲部２４ａ（２４ｂ）にかけて、被覆材５の肉厚内に長手通し状の空隙部Ａが形成される。空隙部Ａの外周は薄肉状とされており、芯材４との係合時に比較的変形しやすく、曲げ形状とされた芯材４に対して被覆する際においても、追従性を良好なものとしている。
【００２３】
前記外層部２２は、図３ないし図５に示すように、表面層として、突片部２５ａ（２５ｂ）の外周面を含む基層部２１の外周面（折曲部２４ａ，２４ｂを除く）を覆っている。この外層部２２の肉厚は、基層部２１の肉厚に比して格段に薄くなっている。
【００２４】
このような被覆材５は、芯材４の外周面をその全長にわたって包み込むように覆っている。この場合、その被覆材５における一対の突片部２５ａ，２５ｂは、取付けブラケット３の先端部３ａ（当接部分２６）の厚み方向両面に当接され、その被覆材５の各折曲部２４ａ，２４ｂは、被覆材５が芯材４に対して相対回転することを規制すべく、芯材４の各係止部１７ａ，１７ｂに係止されている。
【００２５】
次に、手すり２の取付け作業について、図４に基づいて説明する。
まず、壁面１に取付けブラケット３を所定間隔毎に取付ける。各取付けブラケット３の取付け作業は、取付けブラケット３の基端部７を壁面１に沿わせつつアンカーボルト９とナット１０とを用いることにより行い、このとき、取付けブラケット３の先端部３ａが上方側に向くようにする。
【００２６】
次に、壁面１に取付けられた取付けブラケット３に対して、芯材４を取付ける。この取付けにおいては、壁面１に取付けられた複数の取付けブラケット３の先端部３ａに芯材を被せ、取付けブラケット３の各先端部を芯材４の中空部１４内に挿入溝１５を介して挿入することにより、その取付けブラケット３の連結部３１を挿入溝１５を介して挿入することにより、その取付けブラケット３の連結部３１を上壁部１１の保持溝１６に嵌合させる。その上で、取付けねじ１９を、横方向から芯材４および取付けブラケット３の連結部３１にねじ込み、芯材４と取付けブラケット３とを一体化する。
【００２７】
次に、取付けブラケット３に固定された芯材４に対して、被覆材５を取付ける。この取付けにおいては、まず、被覆材５を温めて柔らかくし、一対の切離し端部２５ａ，２５ｂ等を押し開く。その上で、その開かれた切離しスリット２０から芯材４に被覆材５を被覆する。このとき、芯材４の円弧面１８は、一対の突片部２５ａ，２５ｂを押し開き、芯材４の被覆材５内への入り込みを助ける。
【００２８】
このとき、空隙部Ａが形成されていることにより、図１に示すように従来施工が難しかった曲げ形状（下曲げ、多段曲げ、ひねり曲げ等）に対しても突片部２５ａ，２５ｂ付近が波打ちや開きを起こすことなく追従し、特段の配慮なしに美麗に施工を行うことができる。
【００２９】
これにより、被覆材５は、芯材４を包み込むように被覆し、この被覆材５の各折曲部２４ａ，２４ｂは、芯材４の各係止部１７ａ，１７ｂに係止される。この結果、芯材４と被覆材５とが一体化することになり、当該手すり２の取付け作業は終了する。このとき、被覆材５における一対の突片部２５ａ，２５ｂは、図３に示すように、取付けブラケット３の先端部の当接部分２６に当接された状態となる。
【００３０】
したがって、取付けブラケット３の厚みが、一対の突片部２５ａ，２５ｂとの当接部分２６において、該当接部分２６以外の部分に比して薄くされていることから、被覆材として、一対の突片部２５ａ，２５ｂ間の切離しスリット２０の幅をその取付けブラケット３の厚みに応じた狭いものを用いることができ、これに伴い、手すり２において、一対の突片部２５ａ，２５ｂ間における切離しスリット２０の幅を、取付けブラケット３の非存在領域で簡単に短くできる。
【００３１】
なお、本考案の目的は、明記されたものに限らず、実質的に好ましい或いは利点として記載されたものに対応したものを提供することをも含むものである。
【符号の説明】
【００３２】
１    壁面（固定基部）
２    手すり
３    取付けブラケット
４    芯材
５    被覆材
Ａ    空隙部
【図１】
0003167262.tif 000003
【図２】
0003167262.tif 000004
【図３】
0003167262.tif 000005
【図４】
0003167262.tif 000006
【図５】
0003167262.tif 000007